(57)【要約】【課題】上部接触式電動反射片デバイスを提供する。【解決手段】上部接触式電動反射片デバイスはベース１、反射フレーム２、連動台座３、電動モジュール４を有する。電動モジュール４はベース１において前後に移動し連動台座３の移動を連動し、反射フレーム２の組合せ部２２の前後移動を同期に連動し、連動台座３の上向きの弾力を通して、ダッシュボードＬ上の上下震動を緩衝する。これにより、反射片２１はフロントガラスＷ上の緊密接触を維持され、その安定性を拡大し、画像表示には揺れ動きが生じず、こうして目視品質を向上させられる。【選択図】図２
2019003031.tif 000002
【特許請求の範囲】
【請求項１】
上部接触式電動反射片デバイスであって、ベース、反射フレーム、連動台座、電動モジュールを有し、
前記反射フレームは、反射片及び組合せ部を有し、前記組合せ部と前記反射片とは結合し、
前記連動台座は、第一回転軸セット及び第二回転軸セットを有し、前記第一回転軸セットには、第一バネを設置し、前記第一回転軸セットは前記組合せ部と枢接され、前記第二回転軸セットには、第二バネを設置し、前記第一バネと前記第二バネは、前記連動台座に上向きの弾力を提供し、
前記電動モジュールは、前記第二回転軸セットと枢接し、前記電動モジュールは、前記ベースにおいて前後に移動し、前記連動台座の移動を連動し、前記組合せ部の底部の前後移動を同期に連動することを特徴とする上部接触式電動反射片デバイス。
【請求項２】
前記電動モジュールには、回路基板、モーターセット及びギアセットを設置し、
前記モーターセットと前記回路基板とは、電気的に連接し、
前記モーターセットは、前記ギアセットを連動し、前記反射フレームの閉作動を連動し、前記反射片の回転角度を調整することを特徴とする請求項１に記載の上部接触式電動反射片デバイス。
【請求項３】
前記ベース両側には、スライドレールをそれぞれ設置し、
前記スライドレールには、弧状曲線セクションを設置し、
前記電動モジュール両側には、導移パーツをそれぞれ設置し、前記導移パーツは、前記スライドレールに係合することを特徴とする請求項１に記載の上部接触式電動反射片デバイス。
【請求項４】
前記ベース両側には、第一側板及び第二側板をそれぞれ設置し、
前記第一側板と前記第二側板前側には、斜壁を設置することを特徴とする請求項１に記載の上部接触式電動反射片デバイス。
【請求項５】
前記連動台座は、台座体をさらに有し、
前記第一回転軸セットは、前記台座体前側に設置し、
前記第二回転軸セットは、前記台座体後側に設置され、
前記台座体片側には、係止部を設置し、
前記台座体底側には、ガイドアームを設置することを特徴とする請求項１に記載の上部接触式電動反射片デバイス。
【請求項６】
前記ベース片側には、ラックギアを設置し、
前記ラックギアには、弧状曲線セクションを設置し、
前記電動モジュールは、ギアセットを有し、
前記ギアセットは、前記ラックギアと前記組合せ部との間に噛み合うことを特徴とする請求項１に記載の上部接触式電動反射片デバイス。
【請求項７】
前記組合せ部は、弧状槽を有し、
前記電動モジュールは、ギアセットを有し、
前記ギアセットは、第一ギア、第二ギア、第三ギア、第四ギア及び導柱を有し、
前記導柱は、前記第一ギアの片側に設置され、前記導柱は、前記弧状槽に挿入され、前記ベースの第一側板には、ラックギアを設置し、前記第二ギアと前記第四ギアとは同軸に設置され、前記モーターセットの駆動回転を受け、前記第二ギアは、前記ラックギアに噛み合い、
前記第一ギアは、前記第三ギアに噛み合い、前記第四ギアは、前記第三ギアに噛み合い、
前記導柱と前記第一ギアとは連動し、前記導柱は、前記弧状槽に沿って移動し、これにより前記第一バネの弾力作動を制限することを特徴とする請求項１に記載の上部接触式電動反射片デバイス。
【請求項８】
前記電動モジュールは、マイクロスイッチをさらに有し、
前記マイクロスイッチは、前記ベースに設置され、前記マイクロスイッチと前記電動モジュールとの間は電気的に連接されることを特徴とする請求項１に記載の上部接触式電動反射片デバイス。
【請求項９】
前記電動モジュールは、プッシュボタンセットをさらに有し、
前記プッシュボタンセットと前記電動モジュールとの間は、電気的に連接されることを特徴とする請求項１に記載の上部接触式電動反射片デバイス。
【請求項１０】
前記反射片頂端には、減震ブロックを設置し、
これにより前記反射片の揺れ動きを減らすことを特徴とする請求項１に記載の上部接触式電動反射片デバイス。
【発明の詳細な説明】
【技術分野】
【０００１】
本発明は上部接触式電動反射片デバイスに関し、特にヘッドアップディスプレイに使用する反射片デバイスで、反射片の自動車フロントガラス上への緊密接触を維持でき、これにより反射片の安定性を高め、画像表示に揺れ動きが生じず、目視の品質を高めることができる上部接触式電動反射片デバイスに関する。
【背景技術】
【０００２】
ヘッドアップディスプレイ（Ｈｅａｄ  Ｕｐ  Ｄｉｓｐｌａｙ）の配備は、最も早期は航空技術に由来し、もともとは、パイロットに必要な情報を獲得させるのに便利で、頭を下げてメーター上の情報をチェックする必要をなくし、直接メッセージをキャビン前端に投射することで、簡単に外界のビューとヘッドアップディスプレイが表示するデータを一つに結合させることができる。反射して眼中に進入する映像と飛行機の中軸は平衡し、ゆえに、パイロットの身長は、仰俯角或いは目視照準に対して偏差を形成することがない。ヘッドアップディスプレイは、パイロットが頭を下げなくともダッシュボード上の表示データを見えるようにし、終始ヘッドアップの姿勢を保持させ、ヘッドダウンとヘッドアップの間に、外界環境の急速な変化を見逃したり、眼の焦点を不断に調整することで遅延と不適を発生したりするのを防止する。
【０００３】
通常運転時には、ドライバーの視線が前方道路を離れることが、事故の最大の原因である。ドライバーの視線が前方道路を離れる回数と時間を減らすため、自動車メーカーの高級車にはヘッドアップディスプレイが配備されているものがあり、ドライバーの視線がフロントウインドシールドガラスから離れなくても、時速、エンジン回転速度等のデータを得られるようにし、これにより運転の安全を維持できるようにする。
【０００４】
一般の運転状況では、ドライバーの目が前方より離れてダッシュボードのデータを読み取るのには、最短でも０．５秒かかり、これは高速道路で時速１００ｋｍで走行し、毎秒３０ｍの距離で走行し、車が多い状況では、その危険性は相対的に増加する。もし、車にヘッドアップディスプレイを配備すれば、ドライバーの注意力分散を減らすことができ、また、この配備を販売手法とすることで、消費者の関心を引き寄せることができる。
【０００５】
現在、自動車上に使用されるヘッドアップディスプレイの技術は、飛行機上のヘッドアップディスプレイほど複雑でないが、すでに広く応用されている。それは一種の光学システムであり、一般には、プロジェクターとオーバーラップミラーの二つの主要な装置で構成されている。プロジェクターは、信号光源、投影ミラー、及びその他の光学装置を組み合わせてなる。プロジェクターの信号光源は、液晶ディスプレイ或いはＣＲＴディスプレイ等の装置で構成され、信号光源より光線が発射され、その後、プロジェクターでガラス上のオーバーラップミラー（或いは特製の透明スクリーン）に投射し、さらにオーバーラップミラーにより文字或いは画像を表示する。
【０００６】
近年、市場には、多くの、車に取り付けられる外接式ヘッドアップディスプレイが出現しており、これらのヘッドアップディスプレイの機能は、時速、回転速度、現在の水温、スロットル位置、油量、オーバースピードアラーム、後退映像、バッテリー電圧、さらには速度測定レーダーがいずれも一つに整合されている。これらの製品は、さらにスピーディーな取り付けが強調され、ただ車用コンピュータに接続すれば、余分の配線を使用する必要はない。あるメーカーの高級車種では、さらにナビゲーションシステムと前後の車間距離等のデータが、ヘッドアップディスプレイの表示する情報中に加えられ、ドライバーにとって少なからぬ便利性を増している。また、市販の外接式ヘッドアップディスプレイの種類は多く、価格は機能の簡単なものの数百台湾元から、品質が優れて多機能の数万台湾元のものまである。
【０００７】
特許文献１の構造模式図である図１に示す通り、反射片デバイス５は、ベース５１、回転軸セット５２及び反射片５３により組成される。
回転軸セット５２の角度調整モジュールを利用し、反射片５３は水平及び回転角度の調整が容易に行え、及び反射片５３頂端を自動車のフロントガラスＷ１に堅固に固定し、これにより揺れ動きの発生を回避し、運転者に最高の視覚角度を提供し、こうして走行の安全を向上させる。
特許文献１は、反射片５３の上部接触構造を開示してはいるが、それは反射片５３の回転角度を作動及び調整するもので、主に回転軸機構を利用し、反射片５３の揺れ動きを防止するため、反射片５３の頂端５３１に緩衝ブロック５３２を設置し、またフロントガラスＷ１上に係止片５４を増設する必要がある。
しかし、特許文献１の反射片５３は、フロントガラスＷ１上に緊密に接触できないため、揺れ動きが容易に生じ、画像表示の品質に悪影響を及ぼす。
【先行技術文献】
【特許文献】
【０００８】
【特許文献１】日本実用新案登録第３２０５７１３号
【発明の概要】
【発明が解決しようとする課題】
【０００９】
本発明の目的は、反射片の揺れ動きを低下させられ、これにより画像表示の品質を向上させられる上部接触式電動反射片デバイスを提供することにある。
【課題を解決するための手段】
【００１０】
本発明による上部接触式電動反射片デバイスは、ベース、反射フレーム、連動台座、電動モジュールを有する。
該反射フレームは、反射片及び組合せ部を有し、該組合せ部と該反射片とは結合する。
該連動台座は、第一回転軸セット及び第二回転軸セットを有し、該第一回転軸セットには、第一バネを設置し、該第一回転軸セットは該組合せ部と枢接される。
該第二回転軸セットには、第二バネを設置し、該第一バネと該第二バネは、該連動台座に上向きの弾力を提供する。
該電動モジュールは、該第二回転軸セットと枢接し、該電動モジュールは、該ベースにおいて前後に移動し、該連動台座の移動を連動し、該組合せ部の底部の前後移動を同期に連動する。
該第二回転軸セットと該電動モジュールとは、枢接する。
【００１１】
該電動モジュールには、回路基板、モーターセット及びギアセットを設置する。
該モーターセットと該回路基板とは、電気的に連接し、該モーターセットは、該ギアセットを連動し、該反射フレームの閉作動を連動し、該反射片の回転角度を調整する。
【００１２】
該ベース両側には、スライドレールをそれぞれ設置する。
該スライドレールには、弧状曲線セクションを設置し、該電動モジュール両側には、導移パーツをそれぞれ設置する。
該導移パーツは、該スライドレールに係合する。
【００１３】
該ベース両側には、第一側板及び第二側板をそれぞれ設置し、該第一側板と該第二側板前側には、斜壁を設置する。
【００１４】
該連動台座は、台座体をさらに有し、該第一回転軸セットは、該台座体前側に設置し、該第二回転軸セットは、該台座体後側に設置され、該台座体片側には、係止部を設置する。
該台座体底側には、ガイドアームを設置する。
【００１５】
該ベース片側には、ラックギアを設置し、該ラックギアには、弧状曲線セクションを設置し、該電動モジュールは、ギアセットを有し、該ギアセットは、該ラックギアと該組合せ部との間に噛み合う。
【００１６】
該組合せ部は、弧状槽を有する。
該電動モジュールは、ギアセットを有し、該ギアセットは、第一ギア、第二ギア、第三ギア、第四ギア及び導柱を有する。
該導柱は、該第一ギアの片側に設置され、該導柱は、該弧状槽に挿入される。
該ベースの第一側板には、ラックギアを設置し、該第二ギアと該第四ギアとは同軸に設置され、該モーターセットの駆動回転を受け、該第二ギアは、該ラックギアに噛み合い、該第一ギアは、該第三ギアに噛み合い、該第四ギアは、該第三ギアに噛み合い、該導柱と該第一ギアとは連動し、該導柱は、該弧状槽に沿って移動し、これにより、該第一バネの弾力作動を制限する。
【００１７】
該電動モジュールは、マイクロスイッチをさらに有する。
該マイクロスイッチは、該ベースに設置され、該マイクロスイッチと該電動モジュールとの間は、電気的に連接される。
【００１８】
該電動モジュールは、プッシュボタンセットをさらに有する。
該プッシュボタンセットと該電動モジュールとの間は、電気的に連接される。
【００１９】
該反射片頂端には、減震ブロックを設置し、これにより該反射片の揺れ動きを減らすことができる。
【発明の効果】
【００２０】
本発明の上部接触式電動反射片デバイスは、連動台座の上向きの弾力を通して、ダッシュボード上の上下震動を緩衝し、こうして反射片はフロントガラス上への緊密接触を維持できる。
これにより、反射片の安定性を拡大し、画像表示は揺れ動きを生じず、同時に表示角度の調整に便利で、画像表示の品質を向上させられ、従来の構造に存在する欠点を効果的に解決することができる。
【図面の簡単な説明】
【００２１】
【図１】従来の構造模式図である。
【図２】本発明の立体分解模式図である。
【図３】本発明の第一側板の立体模式図である。
【図４】本発明の外観模式図である。
【図５】本発明の反射片を蓋合した様子を示す模式図である。
【図６】本発明の反射片を開ける様子を示す作動模式図（一）である。
【図７】本発明の反射片を開ける様子を示す作動模式図（二）である。
【図８】本発明の反射片を開ける様子を示す作動模式図（三）である。
【図９】本発明の反射片の角度調整の様子を示す模式図である。
【図１０】本発明の反射片がフロントガラスに支える様子を示す模式図である。
【図１１】本発明の別種の実施形態の模式図である。
【発明を実施するための形態】
【００２２】
（一実施形態）
図２乃至図５に示す通り、本発明の上部接触式電動反射片デバイスの実施形態は、ベース１、反射フレーム２、連動台座３、電動モジュール４を有する。
ベース１の両側には、第一側板１０Ａ及び第二側板１０Ｂをそれぞれ設置する。
反射フレーム２は、反射片２１及び組合せ部２２を有し、組合せ部２２と反射片２１とは結合する。
連動台座３は、台座体３０、第一回転軸セット３１及び第二回転軸セット３２を有する。
第一回転軸セット３１には、第一バネ３１１を設置し、第一回転軸セット３１は、台座体３０前側に設置し、組合せ部２２と枢接される。
第二回転軸セット３２には、第二バネ３２１を設置し、第二回転軸セット３２は、台座体３０後側に設置され、第一バネ３１１と第二バネ３２１は、連動台座３に上向きの弾力を提供する。
電動モジュール４両側は、第一側板１０Ａと第二側板１０Ｂに係合する。
第二回転軸セット３２と電動モジュール４とは枢接し、電動モジュール４は、ベース１において前後に移動し、連動台座３の移動を連動し、組合せ部２２の底部２２２の前後移動を同期に連動する。
【００２３】
電動モジュール４には、回路基板４１、モーターセット４２及びギアセット４３を設置する。
モーターセット４２と回路基板４１とは、電気的に連接し、モーターセット４２は、ギアセット４３を連動し、反射フレーム２の閉作動を連動し、反射片２１の回転角度を調整する。
【００２４】
図２、図５に示す通り、組合せ部２２は、弧状槽２２１を有する。
ギアセット４３は、第一ギア４３１、第二ギア４３２、第三ギア４３３、第四ギア４３４及び導柱４３５を有する。
導柱４３５は、第一ギア４３１の片側に設置され、導柱４３５は、弧状槽２２１に挿入される。
ベース１の第一側板１０Ａには、ラックギア１１を設置する（図３参照）。
第二ギア４３２と第四ギア４３４とは同軸に設置され、モーターセット４２の駆動回転を受け、第二ギア４３２は、ラックギア１１に噛み合い、第一ギア４３１は、第三ギア４３３に噛み合い、第四ギア４３４は、第三ギア４３３に噛み合い、導柱４３５と第一ギア４３１とは連動し、導柱４３５は、弧状槽２２１に沿って移動し、これにより第一バネ３１１の弾力作動を制限する。
【００２５】
図２、図３、図５、図６に示す通り、ベース１の第一側板１０Ａ及び第二側板１０Ｂは相互に対応し、しかもスライドレール１２１、１２２をそれぞれ設置する。
電動モジュール４両側には、導移パーツＤをそれぞれ設置する。
導移パーツＤは、スライドレール１２１、１２２に係合し、ギアセット４３は、ラックギア１１と組合せ部２２との間に噛み合う。
電動モジュール４が後方へ向かうと、ギアセット４３は反射片２１を連動して持ち上げ、ギアセット４３は、ラックギア１１の噛み合い、及びスライドレール１２１、１２２の導引を通して、連動台座３を後方へとスライド移動させる。
【００２６】
図２、図３、図６、図７に示す通り、ベース１の第一側板１０Ａ及び第二側板１０Ｂ前側は、相互に対応し、斜壁１３１、１３２をそれぞれ設置する。
電動モジュール４が後方へ向かうと、第二バネ３２１は弾力を提供し、連動台座３を持ち上げる。
台座体３０底部両側には、外へと突出するガイドアーム３３をそれぞれ設置する。
ガイドアーム３３は、斜壁１３１、１３２に沿って、連動台座３を導引し持ち上げる（図８参照）。
【００２７】
図２、図８に示す通り、台座体３０片側には、係止部３４を設置する。
組合せ部２２が台座体３０の係止部３４に接触すると、位置が限定され停止し、後方へと持ち上がることはない。
【００２８】
図２、図３に示す通り、第一側板１０Ａのラックギア１１とスライドレール１２１の移動ルート中には、弧状曲線セクションＣ１、Ｃ２をそれぞれ設置する。
同様に第一側板１０Ａが対応する第二側板１０Ｂスライドレール１２２中にも、弧状曲線セクションＣ３を設置する。
この弧状曲線セクションＣ１、Ｃ２、Ｃ３設置の機能により、反射片２１がフロントガラスＷに押し付けられると（図８、図９、図１０参照）、フロントガラスＷを支点として回転スライド動を継続して行う。
即ちギアセット４３が回転を継続すると、導柱４３５はすでに反射片２１の圧迫を離脱する位置まで移動している。
この時、連動台座３は位置限定を受けることなく、後方へと回転を続け、弧状曲線セクションＣ１、Ｃ２、Ｃ３の位置まで導引される。
これにより、反射片２１は、フロントガラスＷへの緊密接触を維持することができ、反射片２１の安定性を高め、画像表示に揺れ動きが生じることはない。
【００２９】
図５に示す通り、電動モジュール４は、マイクロスイッチ４４をさらに有する。
マイクロスイッチ４４は、ベース１に設置され、しかも反射フレーム２が閉まった時に接触する箇所に位置する。
マイクロスイッチ４４と電動モジュール４の回路基板４１との間は、電気的に連接される。
マイクロスイッチ４４が反射フレーム２が閉まったことを探知すると、すみやかにモーターセット４２の作動を停止する。
【００３０】
電動モジュール４は、プッシュボタンセット４５をさらに有する。
プッシュボタンセット４５と電動モジュール４の回路基板４１との間は、電気的に連接される。
プッシュボタンセットは、電動モジュール４のオンＯＮ或いはオフＯＦＦの作動を制御し、及びモーターセット４２の前方へ或いは後方へのスライド動を調整し、連動台座３を連動し、反射片２１の回転角度を調整する。
即ち、プッシュボタンセットをオフＯＦＦに操作すると、反射フレーム２は収納され、プッシュボタンセットをオンＯＮに操作すると、反射フレーム２は前回の回転角度まで展開する。
【００３１】
図１１に示す通り、本発明の反射片２１頂端には、減震ブロック２１１をさらに設置し、減震ブロック２１１を利用して、反射片２１の揺れ動きを減らすことができる。
【００３２】
図２、図３及び図６乃至図１０に示す通り、上述の構成部材の組成により、本発明の上部接触式電動反射片デバイスは、ダッシュボードＬ上に取り付けられる。
プッシュボタンセットをオンに操作すると、電動モジュール４のモーターセット４２は、ギアセット４３を駆動して、反射フレーム２を連動しオン作動を行う。
電動モジュール４が後方へ向かうと、ギアセット４３は反射片２１を連動して持ち上げ、ギアセット４３は、ラックギア１１の噛み合い、及びスライドレール１２１、１２２の導引により、連動台座３を後方へとスライド移動させ、第二バネ３２１は弾力を提供し、連動台座３を持ち上げる。
同時に、連動台座３両側のガイドアーム３３は、斜壁１３１、１３２に沿って、連動台座３を導引し持ち上げ、第一側板１０Ａのラックギア１１とスライドレール１２１の弧状曲線セクションＣ１、Ｃ２、及び第二側板１０Ｂスライドレール１２２中の弧状曲線セクションＣ３により、反射片２１がフロントガラスＷに押し付けられると、フロントガラスＷを支点として回転スライド動を継続して行う。
即ちギアセット４３が回転を継続すると、導柱４３５はすでに反射片２１の圧迫を離脱する位置まで移動している。
この時、連動台座３は位置限定を受けることなく、後方へと回転を続け、弧状曲線セクションＣ１、Ｃ２、Ｃ３の位置まで導引される。
これにより、反射片２１は、フロントガラスＷへの緊密接触を維持することができ、同時に第一バネ３１１と第二バネ３２１は、反射フレーム２に上向きの弾力を提供し、フロントガラスＷに対する上部接触角度を減らす（図９参照）。
これにより、もともと反射片２１の上部だけが接触していた第一角度Ａから、連動台座３の前方への移動に従い、角度が小さい第二角度Ｂに変わる。
角度が小さくなればなるほど上部接触の安定性は高くなるため、フロントガラスＷ上に何らかの係止片を設置する必要はなくなる。
連動台座３の上向きの弾力を通して、ダッシュボードＬ上の上下震動を緩衝し、これにより反射片２１はフロントガラスＷへの密着を維持することができ、安定し、揺れ動くことのない画像表示を実現できる。
このほか、電動モジュール４はベース１上方において前後移動し、連動台座３の移動を連動するため、組合せ部２２の底部２２２は対応して前後に移動し、反射片２１上部はフロントガラスＷに接触して移動せず、摩擦力を生じる状況下で、反射片２１の表示角度を調整する。
【００３３】
図２、図５に示す通り、本発明において反射片２１を閉じる際には、プッシュボタンセット４５のオフＯＦＦ作動を操作するだけで良い。
電動モジュール４のモーターセット４２は、ギアセット４３を反対方向に駆動し、反射フレーム２の蓋合を連動する。
反射片２１がマイクロスイッチ４４に接触すると、モーターセット４２の作動を停止し、即ち反射片２１の蓋合を完成する。
【００３４】
前述した本発明の実施形態は本発明を限定するものではなく、よって、本発明により保護される範囲は後述される特許請求の範囲を基準とする。
【符号の説明】
【００３５】
従来の技術
５  反射片デバイス
５１  ベース
５２  回転軸セット
５３  反射片
５３１  頂端
５３２  緩衝ブロック
５４  係止片
Ｗ１  前フロントガラス
本発明
１  ベース
１０Ａ  第一側板
１０Ｂ  第二側板
１１  ラックギア
１２１、１２２  スライドレール
１３１、１３２  斜壁
２  反射フレーム
２１  反射片
２１１  減震ブロック
２２  組合せ部
２２１  弧状槽
２２２  底部
３  連動台座
３０  台座体
３１  第一回転軸セット
３２  第二回転軸セット
３１１  第一バネ
３２１  第二バネ
３３  ガイドアーム
３４  係止部
４  電動モジュール
４１  回路基板
４２  モーターセット
４３  ギアセット
４３１  第一ギア
４３２  第二ギア
４３３  第三ギア
４３４  第四ギア
４３５  導柱
４４  マイクロスイッチ
４５  プッシュボタンセット
Ａ  第一角度
Ｂ  第二角度
Ｃ１、Ｃ２、Ｃ３  弧状曲線セクション
Ｄ  導移パーツ
Ｌ  ダッシュボード
Ｗ  フロントガラス
【図１】
2019003031.tif 000003
【図２】
2019003031.tif 000004
【図３】
2019003031.tif 000005
【図４】
2019003031.tif 000006
【図５】
2019003031.tif 000007
【図６】
2019003031.tif 000008
【図７】
2019003031.tif 000009
【図８】
2019003031.tif 000010
【図９】
2019003031.tif 000011
【図１０】
2019003031.tif 000012
【図１１】
2019003031.tif 000013
【手続補正書】
【提出日】平成30年9月20日(2018.9.20)
【手続補正１】
【補正対象書類名】明細書
【補正対象項目名】全文
【補正方法】変更
【補正の内容】
【発明の詳細な説明】
【技術分野】
【０００１】
本発明は上部接触式電動反射片デバイスに関し、特にヘッドアップディスプレイに使用する反射片デバイスで、反射片の自動車フロントガラス上への緊密接触を維持でき、これにより反射片の安定性を高め、画像表示に揺れ動きが生じず、目視の品質を高めることができる上部接触式電動反射片デバイスに関する。
【背景技術】
【０００２】
ヘッドアップディスプレイ（Ｈｅａｄ  Ｕｐ  Ｄｉｓｐｌａｙ）の配備は、最も早期は航空技術に由来し、もともとは、パイロットに必要な情報を獲得させるのに便利で、頭を下げてメーター上の情報をチェックする必要をなくし、直接メッセージをキャビン前端に投射することで、簡単に外界のビューとヘッドアップディスプレイが表示するデータを一つに結合させることができる。反射して眼中に進入する映像と飛行機の中軸は平衡し、ゆえに、パイロットの身長は、仰俯角或いは目視照準に対して偏差を形成することがない。ヘッドアップディスプレイは、パイロットが頭を下げなくともダッシュボード上の表示データを見えるようにし、終始ヘッドアップの姿勢を保持させ、ヘッドダウンとヘッドアップの間に、外界環境の急速な変化を見逃したり、眼の焦点を不断に調整することで遅延と不適を発生したりするのを防止する。
【０００３】
通常運転時には、ドライバーの視線が前方道路を離れることが、事故の最大の原因である。ドライバーの視線が前方道路を離れる回数と時間を減らすため、自動車メーカーの高級車にはヘッドアップディスプレイが配備されているものがあり、ドライバーの視線がフロントウインドシールドガラスから離れなくても、時速、エンジン回転速度等のデータを得られるようにし、これにより運転の安全を維持できるようにする。
【０００４】
一般の運転状況では、ドライバーの目が前方より離れてダッシュボードのデータを読み取るのには、最短でも０．５秒かかり、これは高速道路で時速１００ｋｍで走行し、毎秒３０ｍの距離で走行し、車が多い状況では、その危険性は相対的に増加する。もし、車にヘッドアップディスプレイを配備すれば、ドライバーの注意力分散を減らすことができ、また、この配備を販売手法とすることで、消費者の関心を引き寄せることができる。
【０００５】
現在、自動車上に使用されるヘッドアップディスプレイの技術は、飛行機上のヘッドアップディスプレイほど複雑でないが、すでに広く応用されている。それは一種の光学システムであり、一般には、プロジェクターとオーバーラップミラーの二つの主要な装置で構成されている。プロジェクターは、信号光源、投影ミラー、及びその他の光学装置を組み合わせてなる。プロジェクターの信号光源は、液晶ディスプレイ或いはＣＲＴディスプレイ等の装置で構成され、信号光源より光線が発射され、その後、プロジェクターでガラス上のオーバーラップミラー（或いは特製の透明スクリーン）に投射し、さらにオーバーラップミラーにより文字或いは画像を表示する。
【０００６】
近年、市場には、多くの、車に取り付けられる外接式ヘッドアップディスプレイが出現しており、これらのヘッドアップディスプレイの機能は、時速、回転速度、現在の水温、スロットル位置、油量、オーバースピードアラーム、後退映像、バッテリー電圧、さらには速度測定レーダーがいずれも一つに整合されている。これらの製品は、さらにスピーディーな取り付けが強調され、ただ車用コンピュータに接続すれば、余分の配線を使用する必要はない。あるメーカーの高級車種では、さらにナビゲーションシステムと前後の車間距離等のデータが、ヘッドアップディスプレイの表示する情報中に加えられ、ドライバーにとって少なからぬ便利性を増している。また、市販の外接式ヘッドアップディスプレイの種類は多く、価格は機能の簡単なものの数百台湾元から、品質が優れて多機能の数万台湾元のものまである。
【０００７】
特許文献１の構造模式図である図１に示す通り、反射片デバイス５は、ベース５１、回転軸セット５２及び反射片５３により組成される。
回転軸セット５２の角度調整モジュールを利用し、反射片５３は水平及び回転角度の調整が容易に行え、及び反射片５３頂端を自動車のフロントガラスＷ１に堅固に固定し、これにより揺れ動きの発生を回避し、運転者に最高の視覚角度を提供し、こうして走行の安全を向上させる。
特許文献１は、反射片５３の上部接触構造を開示してはいるが、それは反射片５３の回転角度を作動及び調整するもので、主に回転軸機構を利用し、反射片５３の揺れ動きを防止するため、反射片５３の頂端５３１に緩衝ブロック５３２を設置し、またフロントガラスＷ１上に係止片５４を増設する必要がある。
しかし、特許文献１の反射片５３は、フロントガラスＷ１上に緊密に接触できないため、揺れ動きが容易に生じ、画像表示の品質に悪影響を及ぼす。
【先行技術文献】
【特許文献】
【０００８】
【特許文献１】日本実用新案登録第３２０５７１３号
【発明の概要】
【発明が解決しようとする課題】
【０００９】
本発明の目的は、反射片の揺れ動きを低下させられ、これにより画像表示の品質を向上させられる上部接触式電動反射片デバイスを提供することにある。
【課題を解決するための手段】
【００１０】
本発明による上部接触式電動反射片デバイスは、ベース、反射フレーム、連動台座、電動モジュールを有する。
該反射フレームは、反射片及び組合せ部を有し、該組合せ部と該反射片とは結合する。
該連動台座は、第一回転軸セット及び第二回転軸セットを有し、該第一回転軸セットには、第一バネを設置し、該第一回転軸セットは該組合せ部と回転自在に接続される。
該第二回転軸セットには、第二バネを設置し、該第一バネと該第二バネは、該連動台座に上向きの弾力を提供する。
該電動モジュールは、該第二回転軸セットと回転自在に接続し、該電動モジュールは、該ベースにおいて前後に移動し、該連動台座を連動し、該組合せ部の底部を同期に連動して前後に移動させる。
該第二回転軸セットと該電動モジュールとは、回転自在に接続する。
【００１１】
該電動モジュールには、回路基板、モーターセット及びギアセットを設置する。
該モーターセットと該回路基板とは、電気的に連接し、該モーターセットは、該ギアセットを連動し、該反射フレームの閉作動を連動し、該反射片の回転角度を調整する。
【００１２】
該ベース両側には、スライドレールをそれぞれ設置する。
該スライドレールには、弧状曲線セクションを設置し、該電動モジュール両側には、導移パーツをそれぞれ設置する。
該導移パーツは、該スライドレールに係合する。
【００１３】
該ベース両側には、第一側板及び第二側板をそれぞれ設置し、該第一側板と該第二側板前側には、斜壁を設置する。
【００１４】
該連動台座は、台座体をさらに有し、該第一回転軸セットは、該台座体前側に設置し、該第二回転軸セットは、該台座体後側に設置され、該台座体片側には、係止部を設置する。
該台座体底側には、ガイドアームを設置する。
【００１５】
該ベース片側には、ラックギアを設置し、該ラックギアには、弧状曲線セクションを設置し、該電動モジュールは、ギアセットを有し、該ギアセットは、該ラックギアと該組合せ部との間に噛み合う。
【００１６】
該組合せ部は、弧状槽を有する。
該電動モジュールは、ギアセットを有し、該ギアセットは、第一ギア、第二ギア、第三ギア、第四ギア及び導柱を有する。
該導柱は、該第一ギアの片側に設置され、該導柱は、該弧状槽に挿入される。
該ベースの第一側板には、ラックギアを設置し、該第二ギアと該第四ギアとは同軸に設置され、該モーターセットの駆動回転を受け、該第二ギアは、該ラックギアに噛み合い、該第一ギアは、該第三ギアに噛み合い、該第四ギアは、該第三ギアに噛み合い、該導柱と該第一ギアとは連動し、該導柱は、該弧状槽に沿って移動し、これにより、該第一バネの弾力作動を制限する。
【００１７】
該電動モジュールは、マイクロスイッチをさらに有する。
該マイクロスイッチは、該ベースに設置され、該マイクロスイッチと該電動モジュールとの間は、電気的に連接される。
【００１８】
該電動モジュールは、プッシュボタンセットをさらに有する。
該プッシュボタンセットと該電動モジュールとの間は、電気的に連接される。
【００１９】
該反射片頂端には、減震ブロックを設置し、これにより該反射片の揺れ動きを減らすことができる。
【発明の効果】
【００２０】
本発明の上部接触式電動反射片デバイスは、連動台座の上向きの弾力を通して、ダッシュボード上の上下震動を緩衝し、こうして反射片はフロントガラス上への緊密接触を維持できる。
これにより、反射片の安定性を拡大し、画像表示は揺れ動きを生じず、同時に表示角度の調整に便利で、画像表示の品質を向上させられ、従来の構造に存在する欠点を効果的に解決することができる。
【図面の簡単な説明】
【００２１】
【図１】従来の構造模式図である。
【図２】本発明の立体分解模式図である。
【図３】本発明の第一側板の立体模式図である。
【図４】本発明の外観模式図である。
【図５】本発明の反射片を蓋合した様子を示す模式図である。
【図６】本発明の反射片を開ける様子を示す作動模式図（一）である。
【図７】本発明の反射片を開ける様子を示す作動模式図（二）である。
【図８】本発明の反射片を開ける様子を示す作動模式図（三）である。
【図９】本発明の反射片の角度調整の様子を示す模式図である。
【図１０】本発明の反射片がフロントガラスに支える様子を示す模式図である。
【図１１】本発明の別種の実施形態の模式図である。
【発明を実施するための形態】
【００２２】
（一実施形態）
図２乃至図５に示す通り、本発明の上部接触式電動反射片デバイスの実施形態は、ベース１、反射フレーム２、連動台座３、電動モジュール４を有する。
ベース１の両側には、第一側板１０Ａ及び第二側板１０Ｂをそれぞれ設置する。
反射フレーム２は、反射片２１及び組合せ部２２を有し、組合せ部２２と反射片２１とは結合する。
連動台座３は、台座体３０、第一回転軸セット３１及び第二回転軸セット３２を有する。
第一回転軸セット３１には、第一バネ３１１を設置し、第一回転軸セット３１は、台座体３０前側に設置し、組合せ部２２と回転自在に接続される。
第二回転軸セット３２には、第二バネ３２１を設置し、第二回転軸セット３２は、台座体３０後側に設置され、第一バネ３１１と第二バネ３２１は、連動台座３に上向きの弾力を提供する。
電動モジュール４両側は、第一側板１０Ａと第二側板１０Ｂに係合する。
第二回転軸セット３２と電動モジュール４とは回転自在に接続し、電動モジュール４は、ベース１において前後に移動し、連動台座３を連動し、組合せ部２２の底部２２２を同期に連動して前後に移動させる。
【００２３】
電動モジュール４には、回路基板４１、モーターセット４２及びギアセット４３を設置する。
モーターセット４２と回路基板４１とは、電気的に連接し、モーターセット４２は、ギアセット４３を連動し、反射フレーム２の閉作動を連動し、反射片２１の回転角度を調整する。
【００２４】
図２、図５に示す通り、組合せ部２２は、弧状槽２２１を有する。
ギアセット４３は、第一ギア４３１、第二ギア４３２、第三ギア４３３、第四ギア４３４及び導柱４３５を有する。
導柱４３５は、第一ギア４３１の片側に設置され、導柱４３５は、弧状槽２２１に挿入される。
ベース１の第一側板１０Ａには、ラックギア１１を設置する（図３参照）。
第二ギア４３２と第四ギア４３４とは同軸に設置され、モーターセット４２の駆動回転を受け、第二ギア４３２は、ラックギア１１に噛み合い、第一ギア４３１は、第三ギア４３３に噛み合い、第四ギア４３４は、第三ギア４３３に噛み合い、導柱４３５と第一ギア４３１とは連動し、導柱４３５は、弧状槽２２１に沿って移動し、これにより第一バネ３１１の弾力作動を制限する。
【００２５】
図２、図３、図５、図６に示す通り、ベース１の第一側板１０Ａ及び第二側板１０Ｂは相互に対応し、しかもスライドレール１２１、１２２をそれぞれ設置する。
電動モジュール４両側には、導移パーツＤをそれぞれ設置する。
導移パーツＤは、スライドレール１２１、１２２に係合し、ギアセット４３は、ラックギア１１と組合せ部２２との間に噛み合う。
電動モジュール４が後方へ向かうと、ギアセット４３は反射片２１を連動して持ち上げ、ギアセット４３は、ラックギア１１の噛み合い、及びスライドレール１２１、１２２の導引を通して、連動台座３を後方へとスライド移動させる。
【００２６】
図２、図３、図６、図７に示す通り、ベース１の第一側板１０Ａ及び第二側板１０Ｂ前側は、相互に対応し、斜壁１３１、１３２をそれぞれ設置する。
電動モジュール４が後方へ向かうと、第二バネ３２１は弾力を提供し、連動台座３を持ち上げる。
台座体３０底部両側には、外へと突出するガイドアーム３３をそれぞれ設置する。
ガイドアーム３３は、斜壁１３１、１３２に沿って、連動台座３を導引し持ち上げる（図８参照）。
【００２７】
図２、図８に示す通り、台座体３０片側には、係止部３４を設置する。
組合せ部２２が台座体３０の係止部３４に接触すると、位置が限定され停止し、後方へと持ち上がることはない。
【００２８】
図２、図３に示す通り、第一側板１０Ａのラックギア１１とスライドレール１２１の移動ルート中には、弧状曲線セクションＣ１、Ｃ２をそれぞれ設置する。
同様に第一側板１０Ａが対応する第二側板１０Ｂスライドレール１２２中にも、弧状曲線セクションＣ３を設置する。
この弧状曲線セクションＣ１、Ｃ２、Ｃ３設置の機能により、反射片２１がフロントガラスＷに押し付けられると（図８、図９、図１０参照）、フロントガラスＷを支点として回転スライド動を継続して行う。
即ちギアセット４３が回転を継続すると、導柱４３５はすでに反射片２１の圧迫を離脱する位置まで移動している。
この時、連動台座３は位置限定を受けることなく、後方へと回転を続け、弧状曲線セクションＣ１、Ｃ２、Ｃ３の位置まで導引される。
これにより、反射片２１は、フロントガラスＷへの緊密接触を維持することができ、反射片２１の安定性を高め、画像表示に揺れ動きが生じることはない。
【００２９】
図５に示す通り、電動モジュール４は、マイクロスイッチ４４をさらに有する。
マイクロスイッチ４４は、ベース１に設置され、しかも反射フレーム２が閉まった時に接触する箇所に位置する。
マイクロスイッチ４４と電動モジュール４の回路基板４１との間は、電気的に連接される。
マイクロスイッチ４４が反射フレーム２が閉まったことを探知すると、すみやかにモーターセット４２の作動を停止する。
【００３０】
電動モジュール４は、プッシュボタンセット４５をさらに有する。
プッシュボタンセット４５と電動モジュール４の回路基板４１との間は、電気的に連接される。
プッシュボタンセットは、電動モジュール４のオンＯＮ或いはオフＯＦＦの作動を制御し、及びモーターセット４２の前方へ或いは後方へのスライド動を調整し、連動台座３を連動し、反射片２１の回転角度を調整する。
即ち、プッシュボタンセットをオフＯＦＦに操作すると、反射フレーム２は収納され、プッシュボタンセットをオンＯＮに操作すると、反射フレーム２は前回の回転角度まで展開する。
【００３１】
図１１に示す通り、本発明の反射片２１頂端には、減震ブロック２１１をさらに設置し、減震ブロック２１１を利用して、反射片２１の揺れ動きを減らすことができる。
【００３２】
図２、図３及び図６乃至図１０に示す通り、上述の構成部材の組成により、本発明の上部接触式電動反射片デバイスは、ダッシュボードＬ上に取り付けられる。
プッシュボタンセットをオンに操作すると、電動モジュール４のモーターセット４２は、ギアセット４３を駆動して、反射フレーム２を連動しオン作動を行う。
電動モジュール４が後方へ向かうと、ギアセット４３は反射片２１を連動して持ち上げ、ギアセット４３は、ラックギア１１の噛み合い、及びスライドレール１２１、１２２の導引により、連動台座３を後方へとスライド移動させ、第二バネ３２１は弾力を提供し、連動台座３を持ち上げる。
同時に、連動台座３両側のガイドアーム３３は、斜壁１３１、１３２に沿って、連動台座３を導引し持ち上げ、第一側板１０Ａのラックギア１１とスライドレール１２１の弧状曲線セクションＣ１、Ｃ２、及び第二側板１０Ｂスライドレール１２２中の弧状曲線セクションＣ３により、反射片２１がフロントガラスＷに押し付けられると、フロントガラスＷを支点として回転スライド動を継続して行う。
即ちギアセット４３が回転を継続すると、導柱４３５はすでに反射片２１の圧迫を離脱する位置まで移動している。
この時、連動台座３は位置限定を受けることなく、後方へと回転を続け、弧状曲線セクションＣ１、Ｃ２、Ｃ３の位置まで導引される。
これにより、反射片２１は、フロントガラスＷへの緊密接触を維持することができ、同時に第一バネ３１１と第二バネ３２１は、反射フレーム２に上向きの弾力を提供し、フロントガラスＷに対する上部接触角度を減らす（図９参照）。
これにより、もともと反射片２１の上部だけが接触していた第一角度Ａから、連動台座３の前方への移動に従い、角度が小さい第二角度Ｂに変わる。
角度が小さくなればなるほど上部接触の安定性は高くなるため、フロントガラスＷ上に何らかの係止片を設置する必要はなくなる。
連動台座３の上向きの弾力を通して、ダッシュボードＬ上の上下震動を緩衝し、これにより反射片２１はフロントガラスＷへの密着を維持することができ、安定し、揺れ動くことのない画像表示を実現できる。
このほか、電動モジュール４はベース１上方において前後移動し、連動台座３を連動するため、組合せ部２２の底部２２２は対応して前後に移動し、反射片２１上部はフロントガラスＷに接触して移動せず、摩擦力を生じる状況下で、反射片２１の表示角度を調整する。
【００３３】
図２、図５に示す通り、本発明において反射片２１を閉じる際には、プッシュボタンセット４５のオフＯＦＦ作動を操作するだけで良い。
電動モジュール４のモーターセット４２は、ギアセット４３を反対方向に駆動し、反射フレーム２の蓋合を連動する。
反射片２１がマイクロスイッチ４４に接触すると、モーターセット４２の作動を停止し、即ち反射片２１の蓋合を完成する。
【００３４】
前述した本発明の実施形態は本発明を限定するものではなく、よって、本発明により保護される範囲は後述される特許請求の範囲を基準とする。
【符号の説明】
【００３５】
従来の技術
５  反射片デバイス
５１  ベース
５２  回転軸セット
５３  反射片
５３１  頂端
５３２  緩衝ブロック
５４  係止片
Ｗ１  前フロントガラス
本発明
１  ベース
１０Ａ  第一側板
１０Ｂ  第二側板
１１  ラックギア
１２１、１２２  スライドレール
１３１、１３２  斜壁
２  反射フレーム
２１  反射片
２１１  減震ブロック
２２  組合せ部
２２１  弧状槽
２２２  底部
３  連動台座
３０  台座体
３１  第一回転軸セット
３２  第二回転軸セット
３１１  第一バネ
３２１  第二バネ
３３  ガイドアーム
３４  係止部
４  電動モジュール
４１  回路基板
４２  モーターセット
４３  ギアセット
４３１  第一ギア
４３２  第二ギア
４３３  第三ギア
４３４  第四ギア
４３５  導柱
４４  マイクロスイッチ
４５  プッシュボタンセット
Ａ  第一角度
Ｂ  第二角度
Ｃ１、Ｃ２、Ｃ３  弧状曲線セクション
Ｄ  導移パーツ
Ｌ  ダッシュボード
Ｗ  フロントガラス
【手続補正２】
【補正対象書類名】特許請求の範囲
【補正対象項目名】全文
【補正方法】変更
【補正の内容】
【特許請求の範囲】
【請求項１】
上部接触式電動反射片デバイスであって、ベース、反射フレーム、連動台座、電動モジュールを有し、
前記反射フレームは、反射片及び組合せ部を有し、前記組合せ部と前記反射片とは結合し、
前記連動台座は、第一回転軸セット及び第二回転軸セットを有し、前記第一回転軸セットには、第一バネを設置し、前記第一回転軸セットは前記組合せ部と回転自在に接続され、前記第二回転軸セットには、第二バネを設置し、前記第一バネと前記第二バネは、前記連動台座に上向きの弾力を提供し、
前記電動モジュールは、前記第二回転軸セットと回転自在に接続し、前記電動モジュールは、前記ベースにおいて前後に移動し、前記連動台座を連動し、前記組合せ部の底部を同期に連動して前後に移動させることを特徴とする上部接触式電動反射片デバイス。
【請求項２】
前記電動モジュールには、回路基板、モーターセット及びギアセットを設置し、
前記モーターセットと前記回路基板とは、電気的に連接し、
前記モーターセットは、前記ギアセットを連動し、前記反射フレームの閉作動を連動し、前記反射片の回転角度を調整することを特徴とする請求項１に記載の上部接触式電動反射片デバイス。
【請求項３】
前記ベース両側には、スライドレールをそれぞれ設置し、
前記スライドレールには、弧状曲線セクションを設置し、
前記電動モジュール両側には、導移パーツをそれぞれ設置し、前記導移パーツは、前記スライドレールに係合することを特徴とする請求項１に記載の上部接触式電動反射片デバイス。
【請求項４】
前記ベース両側には、第一側板及び第二側板をそれぞれ設置し、
前記第一側板と前記第二側板前側には、斜壁を設置することを特徴とする請求項１に記載の上部接触式電動反射片デバイス。
【請求項５】
前記連動台座は、台座体をさらに有し、
前記第一回転軸セットは、前記台座体前側に設置し、
前記第二回転軸セットは、前記台座体後側に設置され、
前記台座体片側には、係止部を設置し、
前記台座体底側には、ガイドアームを設置することを特徴とする請求項１に記載の上部接触式電動反射片デバイス。
【請求項６】
前記ベース片側には、ラックギアを設置し、
前記ラックギアには、弧状曲線セクションを設置し、
前記電動モジュールは、ギアセットを有し、
前記ギアセットは、前記ラックギアと前記組合せ部との間に噛み合うことを特徴とする請求項１に記載の上部接触式電動反射片デバイス。
【請求項７】
前記組合せ部は、弧状槽を有し、
前記電動モジュールは、ギアセットを有し、
前記ギアセットは、第一ギア、第二ギア、第三ギア、第四ギア及び導柱を有し、
前記導柱は、前記第一ギアの片側に設置され、前記導柱は、前記弧状槽に挿入され、前記ベースの第一側板には、ラックギアを設置し、前記第二ギアと前記第四ギアとは同軸に設置され、前記モーターセットの駆動回転を受け、前記第二ギアは、前記ラックギアに噛み合い、
前記第一ギアは、前記第三ギアに噛み合い、前記第四ギアは、前記第三ギアに噛み合い、
前記導柱と前記第一ギアとは連動し、前記導柱は、前記弧状槽に沿って移動し、これにより前記第一バネの弾力作動を制限することを特徴とする請求項１に記載の上部接触式電動反射片デバイス。
【請求項８】
前記電動モジュールは、マイクロスイッチをさらに有し、
前記マイクロスイッチは、前記ベースに設置され、前記マイクロスイッチと前記電動モジュールとの間は電気的に連接されることを特徴とする請求項１に記載の上部接触式電動反射片デバイス。
【請求項９】
前記電動モジュールは、プッシュボタンセットをさらに有し、
前記プッシュボタンセットと前記電動モジュールとの間は、電気的に連接されることを特徴とする請求項１に記載の上部接触式電動反射片デバイス。
【請求項１０】
前記反射片頂端には、減震ブロックを設置し、
これにより前記反射片の揺れ動きを減らすことを特徴とする請求項１に記載の上部接触式電動反射片デバイス。
【手続補正３】
【補正対象書類名】図面
【補正対象項目名】図５
【補正方法】変更
【補正の内容】
【図５】
2019003031.tif 000014